(57)【特許請求の範囲】
【請求項１】
両替を行う両替機システムにおいて、
両替パターンデータと該両替パターンデータを設定登録するための両替パターンデータ設定登録プログラムとを記憶するカード記憶部が設けられたカードと、
前記カードが挿入されると、該カードの前記カード記憶部から前記両替パターンデータを読み出して該両替パターンデータに基づいて両替を行う両替機と、
該両替機とは別に顧客側に設けられ、前記カードが挿入されると、該カードの前記カード記憶部に記憶された前記両替パターンデータ設定登録プログラムを動作させて当該カード記憶部に記憶する前記両替パターンデータの設定登録を行う外部設定機器とを有することを特徴とする両替機システム。
【請求項２】
前記カード記憶部には、前記両替パターンデータが複数記憶可能であり、
前記両替機は、挿入された前記カードの前記カード記憶部に記憶された複数の前記両替パターンデータから一つの両替パターンデータが選択される選択手段を有し、該選択手段で選択された前記一つの両替パターンデータに基づいて両替を行うことを特徴とする請求項１に記載の両替機システム。
【請求項３】
前記両替機は、挿入された前記カードの前記カード記憶部に記憶された前記両替パターンデータの修正を受け付ける修正受付手段を有し、該修正受付手段を介して行われる修正後の前記両替パターンデータに基づいて両替を行うことを特徴とする請求項１または２に記載の両替機システム。
【請求項４】
前記両替機は、前記修正受付手段を介して行われる修正後の前記両替パターンデータを、挿入された前記カードのカード記憶部に追加登録または更新登録可能であることを特徴とする請求項３に記載の両替機システム。
【請求項５】
前記両替パターンデータ設定登録プログラムは、動作時に前記両替パターンデータに基づく両替手数料金額データを演算可能であることを特徴とする請求項１乃至４のいずれか一項に記載の両替機システム。
【請求項６】
前記カード記憶部には、両替手数料として支払い可能な度数データが記憶可能であることを特徴とする請求項１乃至５のいずれか一項に記載の両替機システム。
【請求項７】
前記カード記憶部には、暗証番号データが記憶可能であることを特徴とする請求項１乃至６のいずれか一項に記載の両替機システム。
【請求項８】
前記両替機は、両替時に両替元金および両替手数料のうちの少なくともいずれか一方を指定の預金口座から自動引き落とし決済可能であることを特徴とする請求項１乃至７のいずれか一項に記載の両替機システム。
【請求項９】
前記両替パターンデータには、前記両替機に投入された両替元金を両替する両替区分および両替元金を指定の預金口座から自動引き落とし決済する払出区分のいずれか一方の区分データが含まれており、
前記両替機は、挿入された前記カードの前記カード記憶部に記憶された前記両替パターンデータの前記区分データに基づいて両替を行うことを特徴とする請求項１乃至８のいずれか一項に記載の両替機システム。
【発明の詳細な説明】
【技術分野】
【０００１】
本発明は、両替機における一人の顧客の占有時間を短縮化できる両替機システムに関する。
【背景技術】
【０００２】
現金の自動両替を行う両替機において、基本となる両替パターン（例えば１万円券を千円券１０枚に両替等）が予め両替機の記憶部に設定登録されていて、顧客が両替の操作を入力する際に、予め設定登録された両替パターンを表示器に複数表示させて、顧客にその中から所望する両替パターンを選択入力させて、この両替パターンに基づいて両替を行う基本的な技術が存在する。また、顧客が両替の操作を入力するときに、表示器でその設定操作に必要な両替限度数量を明確に表示して、顧客の設定操作を容易に実行できるようにした技術もある（例えば、特許文献１参照）。さらには、顧客が使用するカードを利用して、両替機にカードを挿入するだけで、カードの記憶情報から特定される顧客情報に対応して両替機に記憶された両替パターンに基づいて自動的に両替処理を可能とし、両替機における一人の顧客の占有時間を短縮化できるようにした技術も存在する（例えば、特許文献２参照）。
【特許文献１】特開平５−３２４９７８号公報
【特許文献２】特開２００２−３３４３６７号公報
【発明の開示】
【発明が解決しようとする課題】
【０００３】
しかしながら、上述したように、予め複数の両替パターンを設定登録したり、設定操作に必要な両替限度数量を明確に表示するようにしたり、カード情報に対応して両替機に記憶された両替パターンを読み出したりしたとしても、いずれも両替機の内部記憶情報を参照する方式であり、大量の枚数の両替を行う個々の顧客が所望する任意の両替パターンを全て網羅することはできない。また、両替機の内部記憶情報にも容量的に限りがある。このため、網羅できていない特定の顧客が所望する特定の両替パターンについては、両替の都度、両替機にて設定操作を行う必要があり、顧客にとって時間がかかり煩わしく、さらに両替機においても一人の顧客の占有時間が長くなり効率が悪いという課題がある。
【０００４】
したがって、本発明は、任意の両替パターンでの両替の場合であっても、両替機における操作を容易化でき、両替機における操作時間を短縮化できる両替機システムの提供を目的とする。
【課題を解決するための手段】
【０００５】
上記目的を達成するために、請求項１に係る発明は、両替を行う両替機システムにおいて、両替パターンデータと該両替パターンデータを設定登録するための両替パターンデータ設定登録プログラムとを記憶するカード記憶部が設けられたカードと、前記カードが挿入されると、該カードの前記カード記憶部から前記両替パターンデータを読み出して該両替パターンデータに基づいて両替を行う両替機と、該両替機とは別に顧客側に設けられ、前記カードが挿入されると、該カードの前記カード記憶部に記憶された前記両替パターンデータ設定登録プログラムを動作させて当該カード記憶部に記憶する前記両替パターンデータの設定登録を行う外部設定機器とを有することを特徴としている。
【０００７】
請求項２に係る発明は、請求項１に係る発明において、前記カード記憶部には、前記両替パターンデータが複数記憶可能であり、前記両替機は、挿入された前記カードの前記カード記憶部に記憶された複数の前記両替パターンデータから一つの両替パターンデータが選択される選択手段を有し、該選択手段で選択された前記一つの両替パターンデータに基づいて両替を行うことを特徴としている。
【０００８】
請求項３に係る発明は、請求項１または２に係る発明において、前記両替機は、挿入された前記カードの前記カード記憶部に記憶された前記両替パターンデータの修正を受け付ける修正受付手段を有し、該修正受付手段を介して行われる修正後の前記両替パターンデータに基づいて両替を行うことを特徴としている。
【０００９】
請求項４に係る発明は、請求項３に係る発明において、前記両替機は、前記修正受付手段を介して行われる修正後の前記両替パターンデータを、挿入された前記カードのカード記憶部に追加登録または更新登録可能であることを特徴としている。
【００１０】
請求項５に係る発明は、請求項１乃至４のいずれか一項に係る発明において、前記両替パターンデータ設定登録プログラムは、動作時に前記両替パターンデータに基づく両替手数料金額データを演算可能であることを特徴としている。
【００１１】
請求項６に係る発明は、請求項１乃至５のいずれか一項に係る発明において、前記カード記憶部には、両替手数料として支払い可能な度数データが記憶可能であることを特徴としている。
【００１２】
請求項７に係る発明は、請求項１乃至６のいずれか一項に係る発明において、前記カード記憶部には、暗証番号データが記憶可能であることを特徴としている。
【００１３】
請求項８に係る発明は、請求項１乃至７のいずれか一項に係る発明において、前記両替機は、両替時に両替元金および両替手数料のうちの少なくともいずれか一方を指定の預金口座から自動引き落とし決済可能であることを特徴としている。
【００１４】
請求項９に係る発明は、請求項１乃至８のいずれか一項に係る発明において、前記両替パターンデータには、前記両替機に投入された両替元金を両替する両替区分および両替元金を指定の預金口座から自動引き落とし決済する払出区分のいずれか一方の区分データが含まれており、前記両替機は、挿入された前記カードの前記カード記憶部に記憶された前記両替パターンデータの前記区分データに基づいて両替を行うことを特徴としている。
【発明の効果】
【００１５】
請求項１に係る発明によれば、両替機とは別に顧客側に設けられた外部設定機器にカードが挿入されると、外部設定機器は、このカードのカード記憶部に記憶された両替パターンデータ設定登録プログラムを動作させて当該カード記憶部に記憶する両替パターンデータの設定登録を行うことになる。このようにしてカードそのものに顧客が所望する両替パターンデータを記憶することができる。そして、このようにして外部設定機器により両替パターンデータが予め設定登録されたカードが両替機に挿入されると、両替機は、このカードのカード記憶部から両替パターンデータを読み出し、この両替パターンデータに基づいて両替を行うことになる。したがって、外部設定機器で両替パターンデータが作成されることになり、任意の両替パターンでの両替の場合であっても、両替機における操作を容易化でき、両替機における操作時間を短縮化できる。また、両替機が特定の顧客に占有される時間を減らすことができる。
【００１７】
請求項２に係る発明によれば、カードが挿入されると、両替機は、選択手段を介してこのカードのカード記憶部に記憶された複数の両替パターンデータから一つの両替パターンデータが選択されることになり、この選択手段で選択された両替パターンデータに基づいて両替を行う。したがって、カード記憶部に複数の両替パターンデータが記憶されており、複数の両替パターンデータから一つの両替パターンデータを選択して両替を行う場合であっても、両替機における操作を容易化でき、両替機における操作時間を短縮化できる。
【００１８】
請求項３に係る発明によれば、カードが挿入されると、両替機は、修正受付手段が、このカードのカード記憶部に記憶された両替パターンデータの修正を受け付けることになり、この修正受付手段を介して行われる修正後の両替パターンデータに基づいて両替を行う。したがって、両替パターンデータを修正して両替を行うことができ、その場合でも、両替機における操作を容易化でき、両替機における操作時間を短縮化できる。
【００１９】
請求項４に係る発明によれば、両替機が、修正受付手段を介して行われる修正後の両替パターンデータを、挿入されたカードのカード記憶部に追加登録または更新登録することで、新しい両替パターンデータとして以後使用することができる。
【００２０】
請求項５に係る発明によれば、両替パターンデータ設定登録プログラムが、動作時に両替パターンデータに基づく両替手数料金額データを演算可能であるため、両替パターンデータの設定登録時に設定登録された両替パターンデータでの両替手数料金額データがどうであるかを自動的に演算することができる。
【００２１】
請求項６に係る発明によれば、カード記憶部には、両替手数料として支払い可能な度数データが記憶可能であるため、両替パターンデータを記憶するカードと両替手数料を支払い可能なカードとを共用化できる。
【００２２】
請求項７に係る発明によれば、カード記憶部には、暗証番号データが記憶可能であるため、外部設定機器および両替機の少なくともいずれか一方で暗証番号の認証が可能となる。よって、カードの情報が不正に見られてしまったり、不正に書き換えられてしまったりということがなくなり、セキュリティを高めることができる。
【００２３】
請求項８に係る発明によれば、両替機が、両替時に両替元金および両替手数料のうちの少なくともいずれか一方を指定の預金口座から自動引き落とし決済可能であるため、両替元金あるいは両替手数料を持ち合わせていなくても両替が可能になる。
【００２４】
請求項９に係る発明によれば、両替機は、挿入されたカードのカード記憶部に記憶された両替パターンデータに含まれた、両替機に投入された両替元金を両替する両替区分および両替元金を指定の預金口座から自動引き落とし決済する払出区分のいずれか一方の区分データに基づいて両替を行うため、両替機が両方の両替区分に対応可能であっても、その指定操作の入力を略すことができる。したがって、両替機における操作を容易化でき、両替機における操作時間を短縮化できる。
【発明を実施するための最良の形態】
【００２５】
本発明の一実施形態の両替機システムを図面を参照して以下に説明する。
図１は、本実施形態の両替機システムを示す構成図で、両替機システム１１は、金融機関等に設置されて現金の自動両替を行う両替機１２と、両替機１２とは別に設けられ、例えば顧客の店舗等に設置されて両替パターンデータの設定を行う汎用パーソナルコンピュータからなる外部設定機器１３と、両替機１２および外部設定機器１３の両方に対してデータを送受可能とされた携帯容易なカード１４とで構成されている。
【００２６】
両替機１２は、前側（操作者側）且つ上側が切り欠かれた段差状をなしており、高さ方向の中間位置の前側に、水平に沿う中間上面２０が形成され、その上の前側に上部前面２１が形成されている。
【００２７】
中間上面２０には、その操作者から見て右側に、両替取引を行う際に案内表示を行うとともに入力操作が行われる液晶タッチパネル式の操作表示部（選択手段，修正受付手段）２２が設けられ、左側に包装硬貨を出金する包装硬貨出金口２４が設けられている。包装硬貨出金口２４には、開閉可能なシャッタ２５が設けられている。
【００２８】
上部前面２１には、その上部の操作者から見て右端に取引明細書を発行する明細書発行口２７が設けられ、その左側には、カード１４が挿入されカード１４を返却するカード挿入口２８が設けられている。また、上部の左端には係員を呼び出す際に操作される係員呼出ボタン２９が設けられている。
【００２９】
上部前面２１には、その下部の操作者から見て右側に、奥方に凹む凹部３１が形成されている。この凹部３１の上部には操作者に向けて音声案内を出力する音声出力部３２が設けられ、凹部３１の下端には、バラ紙幣が入金され且つバラ紙幣を出金するバラ紙幣入出金口３３が設けられている。このバラ紙幣入出金口３３は、操作表示部２２の後側に並設されており、開閉可能なシャッタ３４が設けられている。
【００３０】
上部前面２１には、その操作者から見て左側に、バラ硬貨を出金するバラ硬貨出金口３６が設けられている。このバラ硬貨出金口３６には、開閉可能なシャッタ３７が設けられている。
【００３１】
上記両替機１２の内部構成は、図２に示すように、操作表示ユニット（操作表示手段）４０と、バラ紙幣入出金ユニット（バラ紙幣入出金手段）４１と、バラ硬貨出金ユニット（バラ硬貨出金手段）４２と、包装硬貨出金ユニット（包装硬貨出金手段）４３と、カードアクセスユニット（カード情報認識手段）４４と、印字ユニット（出力手段）４５と、音声出力ユニット（音声出力手段）４６と、通信部（外部通信手段）４７と、これらを制御する制御部（制御手段）４８と、記憶部（記憶手段）４９とからなっている。
【００３２】
操作表示ユニット４０は、液晶タッチパネルからなる上記した操作表示部２２を含んでおり、両替操作を行う操作者である顧客が両替を行う際に、顧客に対してガイドを表示したり確認表示を行いながら、顧客によって両替元金や顧客が所望する金種毎の数量からなる両替パターンデータ等の入力操作が行われる。この操作表示ユニット４０は、両替機１２の内部に設けられており、その一部である操作表示部２２の上面パネルのみが顧客に対しアクセス可能なように中間上面２０に配設されている。
【００３３】
バラ紙幣入出金ユニット４１は、両替時に顧客によりバラ紙幣入出金口３３に投入された両替元金であるバラ紙幣の入金処理と、両替払出金を構成するバラ紙幣の出金処理とを行うものである。バラ紙幣の入金処理時に、バラ紙幣入出金ユニット４１は、シャッタ３４を開き、バラ紙幣入出金口３３にバラ紙幣が投入されると、シャッタ３４を閉じてから、バラ紙幣入出金口３３のバラ紙幣を一枚ずつに分離して機内に取り込み、計数および識別を行って機内の図示略の金種別のバラ紙幣収納カセットに収納する。また、バラ紙幣の出金処理時に、バラ紙幣入出金ユニット４１は、シャッタ３４は閉じたまま、操作表示部２２等で指定された両替パターンデータに基づいて所定金種・所定枚数のバラ紙幣を金種別のバラ紙幣収納カセットから計数しつつバラ紙幣入出金口３３に繰り出し、その後、シャッタ３４を開く。
【００３４】
バラ硬貨出金ユニット４２は、両替時に両替払出金を構成するバラ硬貨の出金処理を行うものである。バラ硬貨の出金処理時に、バラ硬貨出金ユニット４２は、シャッタ３７を閉じたまま、操作表示部２２等で指定された両替パターンデータに基づいて所定金種・所定枚数のバラ硬貨を機内の図示略の金種別のバラ硬貨収納カセットから計数しつつバラ硬貨出金口３６に繰り出し、その後、シャッタ３７を開く。
【００３５】
包装硬貨出金ユニット４３は、両替時に両替払出金を構成する包装硬貨の出金処理を行うものである。包装硬貨の出金処理時に、包装硬貨出金ユニット４３は、シャッタ２５を閉じたまま、操作表示部２２等で指定された両替パターンデータに基づいて所定金種・所定本数の包装硬貨を機内の図示略の金種別の包装硬貨収納カセットから計数しつつ包装硬貨出金口２４に繰り出し、その後、シャッタ２５を開く。
【００３６】
カードアクセスユニット４４は、カード挿入口２８に挿入されたカード１４を機内に取り込み、このカード１４のカード記憶部５１に記憶されているカード情報を読み込んだり、必要に応じてカード情報をカード記憶部５１に書き込んだりするカードリーダライタである。カードアクセスユニット４４は、カード情報の処理が終了すると、このカード１４をカード挿入口２８に返却する。
【００３７】
印字ユニット４５は、両替取引情報を用紙に印刷して取引明細書として発行するプリンタユニットであり、両替取引の終了時に当該両替取引の詳細を記載した取引明細書を明細書発行口２７から発行する。
【００３８】
音声出力ユニット４６は、スピーカである音声出力部３２を含んでおり、この音声出力部３２から顧客にむけて操作ガイドをアナウンスしたり、両替取引の開始時および終了時に所定の挨拶のアナウンスをしたりするものである。
【００３９】
通信部４７は、両替機１２と、両替機外部との通信を行うためのものであり、例えば、両替機１２の設置場所に対し遠隔の場所に配置され所定の係員がアクセスするリモート監視モニタ機器５２と通信を行うものである。そして、両替機１２は、通信部４７によって、両替機１２の図示略の各収納ユニットに収納されている金種別のバラ紙幣、金種別のバラ硬貨および金種別の包装硬貨のそれぞれのエンプティ・ニアエンプティの状態や、両替機１２の異常の発生等をリモート監視モニタ機器５２に出力することになり、これらの情報をリモート監視モニタ機器５２で遠隔に監視可能となっている。また、両替機１２は、係員呼出ボタン２９が押下操作されると、その呼出情報を通信部４７によって、リモート監視モニタ機器５２に出力することになり、リモート監視モニタ機器５２で遠隔に監視可能となっている。さらに、両替機１２は、通信部４７によって両替機１２が設置された同じ店舗内の管理サーバ５３と通信し、この管理サーバ５３を介して、店舗外部にある金融機関（クレジット会社を含む）のセンタ本部の図示略のホストコンピュータとオンラインにて通信可能となっている。
【００４０】
そして、以上に述べた両替機１２の各部，各ユニットがＣＰＵである制御部４８によって制御されることになる。記憶部４９は、ＲＡＭやハードディスク等によって構成され、予め必要とされる情報が記憶されており、適宜、制御部４８によって情報の読み出しおよび書き込み等が行われる。
【００４１】
外部設定機器１３の構成は、図１に示すように、液晶画面からなる表示画面（表示手段）５５と、キーボード５６およびマウス５７からなる操作部（操作手段）５８と、外部カードアクセスユニット（外部カード情報認識手段）５９と、これらを制御する制御部（外部制御手段）６０とを有している。
【００４２】
外部カードアクセスユニット５９は、カード挿入口６３を有しており、このカード挿入口６３に挿入されたカード１４のカード記憶部５１に記憶されているカード情報を読み込んだり、必要に応じてカード情報をカード記憶部５１に書き込んだりするカードリーダライタである。
【００４３】
カード１４は、顧客からの発行依頼に基づいて金融機関から発行されるものであり、そのカード記憶部５１には、金融機関側で発行時に予め、金融機関コードと、支店コードと、顧客コード（口座番号）と、カード１４の発行日と、カード１４の有効期限と、発行依頼時に顧客が申告した任意の４桁の数字からなる暗証番号データと、発行依頼時に顧客が申告した少なくとも一つの両替パターンデータと、両替パターンデータを作成・編集して設定登録するための両替パターンデータ設定登録プログラムと、両替手数料として支払い可能な両替使用可能度数データとがカード情報として記憶されている。そして、これらがカード記憶部５１に記憶された状態でカード１４が金融機関から顧客へ発行される仕組みになっている。カード記憶部５１は例えばＩＣメモリ等からなり、このカード記憶部５１のカード情報が両替機１２のカードアクセスユニット４４および外部設定機器１３の外部カードアクセスユニット５９で読み取られることになる。
【００４４】
ここで、上記した両替パターンデータは、両替元金の金額データ、両替払出金の各金種別の数量データ等で構成されている。両替払出金の各金種別の数量データは、例えば、小売店舗で一日に必要とする釣銭準備金としての貨幣の組み合わせであり、両替元金の金額データは、その合計金額である。両替パターンデータは、一例として、両替元金が１４万円であり、両替払出金が、五千円券１０枚、千円券５０枚、５００円硬貨の包装硬貨１本（バラ硬貨５０枚分）、１００円硬貨の包装硬貨２本（バラ硬貨１００枚分）、５０円硬貨の包装硬貨１本（バラ硬貨５０枚分）、１０円硬貨の包装硬貨２本（バラ硬貨１００枚分）、５円硬貨の包装硬貨４本（バラ硬貨２００枚分）、１円硬貨の包装硬貨１０本（バラ硬貨５００枚分）であることを示すデータ等からなる。
【００４５】
なお、顧客が両替の際にカード挿入口２８に挿入するカード１４の種類には、例えばキャッシュカード等がある。キャッシュカードについては、カード１４のカード記憶部５１に記憶されている金融機関コード等が両替機１２のカードアクセスユニット４４にて読み取られることになり、読み取った金融機関コードがこの両替機１２が設置された当行の金融機関コードと一致する場合に、制御部４８は、両替処理を許諾し、一致しない場合には両替処理を許諾しない等の判断を行う。あるいは、読み取った金融機関コードがこの両替機１２が設置された当行の金融機関コードと一致しない場合、所定枚数（例えば総枚数４９枚等）以内の両替であれば両替処理を許諾し、所定枚数を超える両替であれば両替処理に手数料を徴収したり、所定枚数以内の両替であっても手数料を徴収したり等の判断を行う。つまり、カード１４は、顧客のランク分け認証用として使用される。
【００４６】
上記した両替パターンデータ設定登録プログラムは、そのプログラム中に両替限度数量データを演算パラメータとして具備している。両替限度数量データとは、両替機１２での払い出し用としての取り扱い可能な金種と、取り扱い可能なバラ紙幣、バラ硬貨および包装硬貨の払い出し上限の限度数量データとのことを示しており、払い出し上限の限度数量データは、基本的には両替機１２でのバラ紙幣入出金口３３、バラ硬貨出金口３６および包装硬貨出金口２４のそれぞれの容量に基づいて設定されている。両替パターンデータ設定登録プログラムでは、両替限度数量データの取り扱い可能金種および限度数量データの範囲内でのみ両替パターンデータが作成可能となっている。
【００４７】
上記した取り扱い可能金種として、例えば、バラ紙幣では、五千円券、二千円券および千円券が取り扱い可能に設定され、一万円券は取り扱い不可であり、バラ硬貨では、５００円硬貨および１００円硬貨が取り扱い可能に設定され、５０円硬貨、１０円硬貨、５円硬貨および１円硬貨は取り扱い不可であり、包装硬貨では、５００円硬貨、１００円硬貨、５０円硬貨、１０円硬貨、５円硬貨および１円硬貨のすべてが取り扱い可能に設定されている。
【００４８】
また、上記した限度数量データとして、例えば、バラ紙幣では、取り扱い可能な全金種合計で２００枚が設定され、バラ硬貨では取り扱い可能な全金種合計で１００枚が設定され、包装硬貨では取り扱い可能な全金種合計で３０本が設定されている。
【００４９】
また、両替パターンデータ設定登録プログラムは、両替パターンデータを演算パラメータとしてこれに基づく両替手数料金額データを演算するプログラムを備えており、両替パターンデータ設定登録プログラムの動作時、つまり両替パターンデータが作成される過程、または、両替パターンデータが作成された以降に、該両替パターンデータに基づく両替手数料金額データを演算し、カード記憶部５１に記憶する。
【００５０】
両替使用可能度数データは、両替機１２での両替手数料の管理用に使用されるもので、先払いにより現金に対応する度数のデータが両替使用可能度数データとして予めカード記憶部５１に書き込まれる（いわゆるチャージ）。例えば、１００円を１度数、２００円を２度数、３００円を３度数とする。そして、顧客が両替取引する都度、この両替使用可能度数データが両替手数料の分、減算されて更新され、使用可能度数データが両替手数料に対して不足になるまで、両替取引可能となっている。
【００５１】
顧客が独自に両替パターンデータを作成する場合、顧客は、外部設定機器１３の外部カードアクセスユニット５９にカード挿入口６３からカード１４を挿入する。すると、外部設定機器１３の制御部６０が、外部カードアクセスユニット５９を介してカード１４のカード記憶部５１に対しアクセスし、カード記憶部５１から両替パターンデータ設定登録プログラムを読み込んで動作させる。
【００５２】
まず、両替パターンデータ設定登録プログラムの実行の初期段階として、制御部６０は、暗証番号データの入力を促す表示を表示画面５５に表示させ、操作部５８に入力された暗証番号データとカード記憶部５１から読み出した暗証番号データとが一致するか否かを判定する。一致しなければ、エラー表示を行って両替パターンデータ設定登録プログラムを終了する。暗証番号データが一致していた場合、現在カード記憶部５１に記憶されているすべての両替パターンデータとともに、両替パターンデータの更新・追加登録・削除を行うか終了するかの判断の入力を促す表示を表示画面５５に表示させる。
【００５３】
顧客が両替パターンデータの確認のみを希望し、確認後、顧客によって、両替パターンデータの更新・追加登録・削除を行わない旨が操作部５８を介して選択入力されると、制御部６０は、両替パターンデータ設定登録プログラムを終了する。
【００５４】
両替パターンデータの更新・追加登録・削除を行う旨が操作部５８を介して選択入力されると、制御部６０は、両替パターンデータ設定登録プログラムを継続して実行し、現在カード記憶部５１に記憶されているすべての両替パターンデータを表示するとともに、いずれの両替パターンデータが対象であるかの選択を促す表示を行う。
【００５５】
そして、いずれか一つの両替パターンデータが選択されると、制御部６０は、選択された両替パターンデータのみを表示して、更新・追加登録を行うか、削除を行うかの選択を促す選択指示画面表示パターンを表示させる。
【００５６】
選択指示画面表示パターンにおいて、「削除」が選択されると、制御部６０は、選択された両替パターンデータをカード１４のカード記憶部５１から消去する。
【００５７】
また、選択指示画面表示パターンにおいて、「更新・追加登録」が選択されると、制御部６０は、後述する入力用画面表示パターン６５を表示画面５５に表示させることになり、操作部５８を介して両替元金の金額と、両替払出金としてのバラ紙幣、バラ硬貨および包装硬貨の各金種毎の数量データとを顧客に入力させることになる。このとき、バラ紙幣、バラ硬貨および包装硬貨はそれぞれの両替限度数量データの上限範囲内でのみ入力可能であり、制御部６０は上限範囲を超える入力を受け付けないようになっている。また、両替元金の金額と両替払出金の合計金額とが一致していなければ修正を促す表示を表示画面５５に表示させる。さらには、両替元金の金額入力は必ずしも必須ではなく、入力設定される両替払出金の合計金額に一致するように、両替元金が自動的に表示設定されるようにすることも可能である。なお、以下の説明にあっては、両替元金の金額を入力する場合について進める。
【００５８】
そして、両替元金の金額と両替払出金の合計金額とが一致すると、確定操作を促す表示を表示画面５５に表示させ、確定操作が入力されると、今回入力された両替パターンデータをすでに記憶されている両替パターンデータと置き換えるか、新たな両替パターンデータとして追加登録をするかの選択を促す表示を表示画面５５に表示させる。置き換えが選択された場合は、上記のように既に選択されている一つの両替パターンデータを今回入力された両替パターンデータに置き換えてカード記憶部５１に記憶させる置き換えの設定登録を行う。また、追加登録が選択された場合は、今回入力された両替パターンデータをすでに記憶されていた両替パターンデータとは別に、カード記憶部５１に記憶させる追加登録の設定登録を行う。
【００５９】
例えば、両替パターンデータの更新・追加登録を行う旨が操作部５８を介して選択入力されると、制御部６０は、両替パターンデータ設定登録プログラムの動作によって、図３に示すように、顧客が入力する入力欄を有する入力用画面表示パターン６５を表示画面５５に表示させる。この入力用画面表示パターン６５には、両替を行う銀行の銀行名を含む「○○銀行両替機  両替パターン設定登録画面」のタイトル表示７０と、両替パターンデータの番号を示す「両替パターンデータ１」のデータ番号表示７１と、更新指定時に選択操作される「更新」のボタン表示７２と、追加登録指定時に選択操作される「追加登録」のボタン表示７３と、終了時に選択操作される「終了」のボタン表示７４とが含まれている。
【００６０】
また、上記した入力用画面表示パターン６５には、顧客が更新または追加登録する両替パターンデータの作成・編集欄である各入力欄および表示欄とそれぞれの項目名表示および限度数量表示等が含まれている。
【００６１】
つまり、「両替元金」の項目名表示７５と、両替元金の金額データの入力欄７５ａと、「払い出し金」の項目名表示７６と、「バラ紙幣」の項目名表示７７と、両替払出金としてのバラ紙幣のうち五千円券についての「五千円券」の項目名表示７８およびその枚数データの入力欄７８ａと、同じく二千円券についての「二千円券」の項目名表示７９およびその枚数データの入力欄７９ａと、同じく千円券についての「千円券」の項目名表示８０およびその枚数データの入力欄８０ａと、これらバラ紙幣の小計枚数についての「小計」の項目名表示８１およびその自動演算結果を表示する小計枚数表示欄８１ａとが設けられる。
【００６２】
また、「バラ硬貨」の項目名表示８３と、両替払出金としてのバラ硬貨のうち５００円硬貨についての「５００円硬貨」の項目名表示８４およびその枚数データの入力欄８４ａと、同じく１００円硬貨についての「１００円硬貨」の項目名表示８５およびその枚数データの入力欄８５ａと、これらバラ硬貨の小計枚数についての「小計」の項目名表示８６およびその自動演算結果を表示する小計枚数表示欄８６ａとが設けられる。
【００６３】
さらに、「包装硬貨」の項目名表示８８と、両替払出金としての包装硬貨のうち５００円棒金についての「５００円硬貨」の項目名表示８９およびその本数データの入力欄８９ａと、同じく１００円棒金についての「１００円硬貨」の項目名表示９０およびその本数データの入力欄９０ａと、同じく５０円棒金についての「５０円硬貨」の項目名表示９１およびその本数データの入力欄９１ａと、同じく１０円棒金についての「１０円硬貨」の項目名表示９２およびその本数データの入力欄９２ａと、同じく５円棒金についての「５円硬貨」の項目名表示９３およびその本数データの入力欄９３ａと、同じく１円棒金についての「１円硬貨」の項目名表示９４およびその本数データの入力欄９４ａと、これら包装硬貨の小計本数についての「小計」の項目名表示９５およびその自動演算結果を表示する小計本数表示欄９５ａと、両替払出金の合計金額についての「合計金額」の項目名表示９７およびその自動演算結果を表示する合計金額表示欄９７ａとが設けられる。
【００６４】
加えて、バラ紙幣の小計枚数およびバラ硬貨の小計枚数に、包装硬貨をそれぞれの硬貨単体とした場合の小計枚数を加算した両替払出金の合計枚数についての「合計枚数」の項目名表示９８およびその自動演算結果を表示する合計枚数表示欄９８ａと、例えば両替の合計枚数に基づいて両替手数料金額データを自動演算しその結果得られる両替手数料についての「両替手数料」の項目名表示９９およびその自動演算結果を表示する手数料表示欄９９ａとが表示されることになる。
【００６５】
さらに、両替払出金の各入力欄７８ａ〜８０ａ，８４ａ，８５ａ，８９ａ〜９４ａ、小計枚数表示欄８１ａ，８６ａおよび小計本数表示欄９５ａの横には、限度数量データとして、限度枚数表示欄７８ｂ〜８０ｂ，８４ｂ，８５ｂ，８９ｂ〜９４ｂ，８１ｂ，８６ｂおよび限度本数表示欄９５ｂがそれぞれ設けられ、これらそれぞれに設定された数量範囲が表示され、これらの上側に「限度枚本数」の項目名表示１００が表示されることになる。
【００６６】
ここで、両替パターンデータの更新・追加登録を行う旨が操作部５８を介して選択入力されると、制御部６０は、上記した入力用画面表示パターン６５の各入力欄に初期値として、図３に示すように、すでにカード１４のカード記憶部５１に記憶されている両替パターンデータであって、上記した対象として選択された一つの両替パターンデータを表示させることになる。図３では、上記一例として示した、両替パターンデータである、両替元金が１４万円、両替払出金が、五千円券１０枚、千円券５０枚、５００円硬貨の包装硬貨１本、１００円硬貨の包装硬貨２本、５０円硬貨の包装硬貨１本、１０円硬貨の包装硬貨２本、５円硬貨の包装硬貨４本、１円硬貨の包装硬貨１０本が初期値として入力欄７５ａ，７８ａ，８０ａ，８１ａ，８９ａ〜９４ａに表示され、小計枚数表示欄８１ａに６０枚、小計本数表示欄９５ａに２０本の自動演算結果が表示される。
【００６７】
そして、顧客による操作部５８への操作で、入力欄７５ａ，７８ａ〜８０ａ，８４ａ，８５ａ，８９ａ〜９４ａのうちの適宜のものが変更されることになる。この両替パターンデータの変更としては、例えば、両替元金は修正せずに、バラ紙幣の千円券を一枚減らして、バラ硬貨の５００円硬貨を二枚増やしたり、また例えば、両替元金を含めての修正とし、バラ紙幣の五千円券の枚数を二枚増やして、両替元金を１万円増やすといった変更が可能である。勿論、すべてのデータを一旦ゼロにリセットしてから、入力し直すことも可能である。なお、両替払出金の各入力欄７８ａ〜８０ａ，８４ａ，８５ａ，８９ａ〜９４ａのいずれかに、両替限度数量データを超える数値が入力された場合、および小計枚数表示欄８１ａ，８６ａおよび小計本数表示欄９５ａのいずれかの演算結果が両替限度数量データを超える場合には、制御部６０は、この入力を受け付けずに、「数量オーバー」のエラー表示をポップアップ画面で表示させて再入力を促す。
【００６８】
また、両替パターンデータ設定登録プログラムは、両替機１２での両替取引において徴収される両替手数料金額データを両替パターンデータに基づいて演算するようになっている。一例としては、両替総枚数（バラ紙幣の枚数とバラ硬貨の枚数と包装硬貨を構成するバラ硬貨の枚数とを加算した枚数）が５０枚〜４９９枚の場合は、両替手数料金額データが２００円、両替総枚数が５００枚〜９９９枚の場合は、両替手数料金額データが３００円、両替総枚数が１０００枚〜１４９９枚の場合は、両替手数料金額データが４００円というように両替手数料が両替総枚数によって区分されている。そして、顧客が独自に外部設定機器１３を用いてカード１４のカード記憶部５１に両替パターンデータの更新または追加登録を行う際に、両替払出金の各入力欄７８ａ〜８０ａ，８４ａ，８５ａ，８９ａ〜９４ａのいずれかが変更される度に、制御部６０は、両替払出金の両替総枚数に応じた両替手数料を手数料表示欄９９ａに表示させることになり、顧客がこの両替手数料を参照し意識して両替パターンデータを作成することができる（図３では、手数料表示欄９９ａに４００円が表示された状態を示す）。
【００６９】
入力欄７５ａ，７８ａ〜８０ａ，８４ａ，８５ａ，８９ａ〜９４ａが適宜変更された後、「更新」または「追加登録」のボタン表示７２またはボタン表示７３が選択操作されると、制御部６０は、両替元金と両替払出金の合計金額とが一致するか否かを確認し、一致しなければ、「合計金額不一致」のエラー表示をポップアップ画面で表示させて再入力を促す。他方、制御部６０は、両替元金と両替払出金の合計金額とが一致していれば、「更新」のボタン表示７２が選択操作されていた場合には、上記のように対象として選択された両替パターンデータを変更後の両替パターンデータに置き換えて、カード１４のカード記憶部５１に記憶させる更新登録を行う。また、制御部６０は、両替元金と両替払出金の合計金額とが一致していて、「追加登録」のボタン表示７３が選択操作されていた場合には、すでに登録されていた両替パターンデータとは別の、例えば、すでに登録されていた「両替パターンデータ１」に対して別の「両替パターンデータ２」として、変更後の両替パターンデータを追加でカード１４のカード記憶部５１に記憶させる追加登録を行う。なお、更新の選択操作および追加登録の選択操作のいずれも行われる前に、「終了」のボタン表示７４が選択操作されると、制御部６０は、両替パターンデータの更新および追加登録を行うことなく、両替パターンデータ設定登録プログラムを終了する。
【００７０】
以上のようにして、カード情報として、顧客が所望する少なくとも一つの両替パターンデータ（両替元金および両替払出金の各別の数量データ）がカード記憶部５１に記憶されたカード１４を携帯して、顧客が両替を行うために、両替機１２に行って両替機１２のカード挿入口２８にカード１４を挿入する。すると、両替機１２の制御部４８は、以下の両替処理を行う。
【００７１】
「両替処理」
両替機１２の制御部４８は、カードアクセスユニット４４を介してカード１４のカード記憶部５１に記憶された、両替パターンデータおよび暗証番号データを含むカード情報を読み取る。そして、制御部４８は、暗証番号データの入力を促す表示と、「０」〜「９」までのテンキー表示とを操作表示ユニット４０の操作表示部２２に表示させる。テンキー表示が押圧され、暗証番号データが入力されると、制御部４８は、操作表示部２２に入力された暗証番号データとカード記憶部５１から読み出した暗証番号データとが一致するか否かを判定する。一致しなければ、エラー表示を行って両替処理を終了する。暗証番号データが一致していた場合、操作表示部２２の画面表示パターンを、カード１４のカード記憶部５１から読み取ったカード情報を表示するカード情報画面表示パターンに切り替える。
【００７２】
ここで、制御部４８は、カード情報に、複数の両替パターンデータが含まれている場合には、カード情報画面表示パターンにおいて、複数の両替パターンデータを同時に表示させ、操作表示部２２への選択操作を促す表示を行う。そして、複数の両替パターンデータの中から一つの両替パターンデータが操作表示部２２へ選択操作された場合、制御部４８は、選択された両替パターンデータと、承認時に選択操作される「承認」のボタン表示と、修正時に選択操作される「修正」のボタン表示と、非承認時に選択操作される「中止」のボタン表示と、両替パターンデータの削除時に選択操作される「削除」のボタン表示とを表示する承認等選択画面表示パターンに切り替える。また、制御部４８は、カード情報に、両替パターンデータとして一つの両替パターンデータのみが含まれている場合には、この両替パターンデータと、承認時に選択操作される「承認」のボタン表示と、修正時に選択操作される「修正」のボタン表示と、非承認時に選択操作される「中止」のボタン表示とを表示する承認等選択画面表示パターンに切り替える。
【００７３】
そして、承認等選択画面表示パターンを見て、顧客が表示された両替パターンデータに間違いがないことを確認して、「承認」のボタン表示を押圧操作すると、この押圧操作を受けて、制御部４８は、両替処理の一部の処理として以下の両替払出金の払出処理を行う。
【００７４】
（両替払出金の払出処理）
つまり、まず、カード情報から今回の両替に必要な両替手数料金額データに対応する度数以上の両替使用可能度数データがあるか否かを判定する度数データ残判定を行い、今回の両替に必要な両替手数料金額データに対応する度数以上の両替使用可能度数データがなければ、両替手数料の先払い残額が不足している旨と、両替手数料の先払い金額を追加する追加チャージを行うか両替処理を終了するかの選択を促す表示とを含む画面表示パターンを操作表示部２２に表示させる。操作表示部２２で「追加チャージ」が押圧され選択されると、制御部４８は、シャッタ３４を開き、バラ紙幣入出金口３３へ追加チャージ分の紙幣の投入を促す画面表示パターンを表示させることになり、バラ紙幣入出金口３３で紙幣が検出されると、シャッタ３４を閉じ、バラ紙幣入出金ユニット４１により、この紙幣の入金処理を行う。つまり、バラ紙幣入出金ユニット４１は、バラ紙幣入出金口３３に投入されたバラ紙幣を一枚ずつに分離して機内に取り込み、計数および識別を行って機内の金種別のバラ紙幣収納カセットに収納する。そして、制御部４８は、計数および識別の結果から、入金金額を割り出し、この入金金額に相当する度数データを、カード記憶部５１に記憶されている両替使用可能度数データに加算して、新たな両替使用可能度数データとしてカード記憶部５１に書き込んで、後述する、今回の両替に必要な両替手数料金額データに対応する度数以上の両替使用可能度数データがある場合の処理に進む。他方、操作表示部２２で「両替処理終了」が押圧され選択されると、制御部４８は、両替処理を終了する。
【００７５】
上記した度数データ残判定で、カード情報から今回の両替に必要な両替手数料金額データに対応する度数以上の両替使用可能度数データがあれば、制御部４８は、バラ紙幣入出金口３３へ両替元金の投入を促す画面表示パターンを表示させることになり、バラ紙幣入出金口３３のシャッタ３４を開き、両替元金のバラ紙幣の投入を待つ。両替元金のバラ紙幣がバラ紙幣入出金口３３に投入されると、制御部４８は、シャッタ３４を閉じ、バラ紙幣入出金ユニット４１によって両替元金の入金処理を行う。つまり、バラ紙幣入出金ユニット４１は、バラ紙幣入出金口３３に投入されたバラ紙幣を一枚ずつに分離して機内に取り込み、計数および識別を行って機内の金種別のバラ紙幣収納カセットに収納する。
【００７６】
バラ紙幣入出金ユニット４１によって識別されたバラ紙幣の合計金額が、承認された両替パターンデータの両替元金と一致すると、制御部４８は、承認された両替パターンデータに基づいて、バラ紙幣入出金ユニット４１、バラ硬貨出金ユニット４２および包装硬貨出金ユニット４３の適宜のものを作動させて、両替パターンデータと同じ種別および数量となるバラ紙幣、バラ硬貨および包装硬貨の適宜のものを、バラ紙幣入出金口３３、バラ硬貨出金口３６および包装硬貨出金口２４の適宜のものに出金させる。そして、シャッタ３４，３７，２５のうちの出金が行われたものを開く。つまり、現金である両替元金を現金である両替払出金に両替する。また、このとき、制御部４８は、カード１４のカード記憶部５１に記憶された両替使用可能度数データから今回の両替に必要な両替手数料金額データに対応する度数を減算して両替使用可能度数データを更新する。例えば、図３に示す例では両替手数料金額データが４００円であるため、これに対応した４度数だけ両替使用可能度数データから減算する。
【００７７】
そして、制御部４８は、今回の両替処理の両替処理データである、金融機関コードと、支店コードと、顧客コード（口座番号）と、両替元金の金額と、両替払出金の金種別の数量および金種別の金額と、両替手数料と、残りの両替使用可能度数データとを通信部４７を介して管理サーバ５３に出力し、管理サーバ５３に記憶させる。また、制御部４８は、今回の両替処理の両替処理データのうちの所定の印字データである、両替元金の金額と、両替払出金の金種別の数量および金種別の金額と、両替手数料と、残りの両替使用可能度数データとを印字ユニット４５により用紙に印刷して取引明細書として明細書発行口２７から発行する。
以上で両替払出金の払出処理を終了する。
【００７８】
以上のように、カード１４の挿入後は、最小限の操作を行い両替元金を入金するだけで、容易に短時間で両替払出金を受け取ることができる。これにより、従来のタッチパネルからの各種ボタン操作による、両替元金の入力、両替パターンデータの入力処理が省略されることになり、従来に比較して、両替操作が省力化されて簡単になり、両替操作時間の短縮化が図れる。
【００７９】
他方、承認等選択画面表示パターンの表示状態において、「修正」のボタン表示が押圧操作されると、制御部４８は、両替処理の一部の処理として以下の両替パターンデータ修正処理を行う。
【００８０】
（両替パターンデータ修正処理）
つまり、まず、両替パターンデータの修正を受け付ける修正受付画面表示パターンを操作表示部２２に表示させる。この修正受付画面表示パターンでは、両替元金および両替払出金からなる対象の両替パターンデータと、「０」〜「９」までのテンキー表示と、「数量確定」のボタン表示と、「最終決定」のボタン表示とを表示させることになり、両替パターンデータの中から押圧で選択された数量データを例えば点滅させて他の数量データと差別化し、この状態で、選択された数量データをテンキー表示への押圧で作成される数量データに書き換え、この状態で「数量確定」のボタン表示が押圧されると、この数量データを確定する。なお、この場合も、両替限度数量データを超える数値が入力された場合および小計にて自動演算された場合に、制御部４８は、この入力を受け付けずに、「数量オーバー」のエラー表示をポップアップ画面で表示させて再入力を促す。
【００８１】
顧客は上記の手順を適宜繰り返すことになり、必要なすべての数量データを書き換えた後、「最終決定」のボタン表示を押圧する。これを受けて、制御部４８は、書き換え後の両替パターンデータについて、両替元金と両替払出金の合計金額とが一致するか否かを確認し、一致しなければ、「合計金額不一致」のエラー表示をポップアップ画面で操作表示部２２に表示させて再入力を促す。他方、制御部４８は、両替元金と両替払出金の合計金額とが一致していれば、修正後の両替パターンデータをカード記憶部５１に記憶する場合に選択操作される「修正した両替パターンを記憶する」のボタン表示と、修正後の両替パターンデータをカード記憶部５１に記憶しない場合に選択操作される「修正した両替パターンを記憶しない」のボタン表示とを、操作表示部２２に表示させる。
【００８２】
「修正した両替パターンを記憶する」のボタン表示が押圧されると、制御部４８は、「更新」および「追加登録」のボタン表示を表示させることになり、「更新」のボタン表示が選択操作された場合には、修正前の両替パターンデータを修正後の両替パターンデータに置き換えて、カード１４のカード記憶部５１に記憶させる更新登録をおこなう。また、制御部４８は、「追加登録」のボタン表示が選択操作された場合には、修正前の両替パターンデータを記憶したまま、これとは別に修正後の両替パターンデータを追加でカード１４のカード記憶部５１に記憶させる追加登録を行う。更新登録後および追加登録後に、制御部４８は、修正後の両替パターンデータと、「承認」のボタン表示と、「修正」のボタン表示と、「中止」のボタン表示とを表示する承認等選択画面表示パターンを操作表示部２２に表示させる。
【００８３】
他方、「修正した両替パターンを記憶しない」のボタン表示が押圧された場合、制御部４８は、修正後の両替パターンデータをカード１４のカード記憶部５１に記憶させることなく、上記した、修正後の両替パターンデータと、「承認」のボタン表示と、「修正」のボタン表示と、「中止」のボタン表示と、「削除」ボタン表示（複数の両替パターンデータが記憶されている場合のみ）とを表示する承認等選択画面表示パターンを操作表示部２２に表示させる。
以上で、両替パターンデータ修正処理を終了する。
【００８４】
その後、制御部４８は、「承認」のボタン表示が押圧操作されると、修正後の両替パターンデータに基づいて両替を行うべく、上記した両替払出金の払出処理を行うことになり、「修正」のボタン表示が押圧操作されると、上記した両替パターンデータ修正処理を再度行うことになる。
【００８５】
他方、上記した承認等選択画面表示パターンの表示状態において、「中止」のボタン表示が押圧されると、制御部４８は、今回の両替処理を中止する。
【００８６】
他方、上記した承認等選択画面表示パターンの表示状態において、「削除」のボタン表示が押圧されると、制御部４８は、承認等選択画面表示パターンの表示状態において表示されている選択された両替パターンデータをカード１４のカード記憶部５１から消去する。
【００８７】
以上に述べた本実施形態の両替機システム１１によれば、両替機１２とは別に顧客側に設けられた外部設定機器１３にカード１４が挿入されると、外部設定機器１３は、このカード１４のカード記憶部５１に記憶された両替パターンデータ設定登録プログラムを動作させて当該カード記憶部５１に記憶する両替パターンデータの設定登録を行うことになる。このようにしてカード１４そのものに顧客が所望する両替パターンデータを記憶することができる。そして、このようにして顧客側が所有する外部設定機器１３により両替パターンデータが予め設定登録されたカード１４が両替機１２に挿入されると、両替機１２は、このカード１４のカード記憶部５１から両替パターンデータを読み出し、この両替パターンデータに基づいて両替を行うことになる。したがって、任意の両替パターンでの両替の場合であっても、顧客側が所有する外部設定機器１３によって予め両替パターンデータを作成しておくことができるため、両替機１２における操作を容易化でき、両替機１２における操作時間を短縮化できる。これを両替機１２を設置する金融機関側から見れば、両替機１２以外で両替パターンデータが作成されることにより、両替機１２が特定の顧客に占有される時間を減らすことができる。
【００８８】
また、カード１４そのもののカード記憶部５１に顧客が所望する両替パターンデータが記憶されており、両替機１２では、これを読み込んで、タッチパネル式の操作表示部２２に表示出力するため、任意の両替パターンでの両替の場合であっても、両替機１２における操作を確実に容易化でき、両替機１２における操作時間を確実に短縮化できる。
【００８９】
また、両替機１２は、カード１４が挿入されると、操作表示部２２を介してこのカード１４のカード記憶部５１に記憶された複数の両替パターンデータから一つの両替パターンデータが選択されることになり、この操作表示部２２で選択された両替パターンデータに基づいて両替を行う。したがって、カード記憶部５１に複数の両替パターンデータが記憶され、これらの両替パターンデータから一つの両替パターンデータを選択して両替を行う場合であっても、両替機１２における操作を容易化でき、両替機１２における操作時間を短縮化できる。カード記憶部５１に複数の両替パターンデータを記憶できるため、両替の機会毎に最も適切な両替パターンを選択することができる。なお、カード１４のカード記憶部５１への複数の両替パターンデータの設定登録は、上記のように外部設定機器１３によって追加で行う以外にも、カード１４の発行時に顧客側の申告によって金融機関側が行うことが可能である。
【００９０】
また、両替機１２は、カード１４が挿入されると、操作表示部２２が、このカード１４のカード記憶部５１に記憶された両替パターンデータの修正を受け付けることになり、この操作表示部２２を介して行われる修正後の両替パターンデータに基づいて両替を行う。したがって、両替パターンデータを修正して両替を行うことができ、その場合も、両替機１２における操作を容易化でき、両替機１２における操作時間を短縮化できる。
【００９１】
また、両替機１２が、操作表示部２２を介して行われる修正後の両替パターンデータを、挿入されたカード１４のカード記憶部５１に追加登録または更新登録することで、新しい両替パターンデータとして以後使用することができる。
【００９２】
また、両替機１２は、カード１４が挿入されると、操作表示部２２が、このカード１４のカード記憶部５１に記憶された複数の両替パターンデータのうちの一つについて削除を受け付けることになり、カード記憶部５１に不要な両替パターンデータが記憶されている場合にこれを削除することができる。
【００９３】
また、両替パターンデータ設定登録プログラムが、動作時に両替パターンデータに基づく両替手数料金額データを演算可能であるため、両替パターンデータの設定登録時に設定登録された両替パターンデータでの両替手数料金額データがどうであるかを自動的に演算し表示させることができる。
【００９４】
また、カード記憶部５１には、両替手数料として支払い可能な両替使用可能度数データが記憶可能であるため、両替手数料の支払いが容易になるとともに、両替パターンデータを記憶するカード１４を、両替手数料を支払い可能なカードとして共用化できる。
【００９５】
また、両替機１２は、入金により、カード記憶部５１の両替使用可能度数データを追加チャージ可能であるため、両替手数料に対して、両替使用可能度数データが不足していても、入金により、両替処理を継続して行うことができる。
【００９６】
また、カード記憶部５１には、暗証番号データが記憶可能であるため、外部設定機器１３および両替機１２で暗証番号の認証が可能となる。よって、カード１４の情報である両替パターンデータ、両替手数料金額データ、両替使用可能度数データ等が他人に不正に見られてしまったり、他人により不正に書き換えられてしまったりということがなくなり、セキュリティを高めることができる。
【００９７】
なお、以上の実施形態の両替機システム１１を以下のように変更することができる。
【００９８】
参考技術であるが、カード１４のカード記憶部５１に、両替パターンデータと両替パターンデータ設定登録プログラムとを記憶するのではなく、これらのうち、両替パターンデータ設定登録プログラムは記憶せず、両替パターンデータのみを記憶するように構成する。この構成の場合には、汎用パーソナルコンピュータからなる外部設定機器１３に両替パターンデータ設定登録プログラムを記憶させることになる。例えば、外部設定機器１３においてネットワークを介してカード１４の管理元である金融機関のホームページから両替パターンデータ設定登録プログラムをダウンロードしたり、カード１４の管理元である金融機関から発行されるＣＤ−ＲＯＭから外部設定機器１３に両替パターンデータ設定登録プログラムを取り込んだりすることができる。
【００９９】
この場合も、上記と同様に、顧客が独自に所望する両替パターンデータを作成・編集する際には、外部設定機器１３にて両替パターンデータ設定登録プログラムを動作させて、カード１２のカード記憶部５１に両替パターンデータの更新または追加登録等の設定登録を行うことができる。要は、両替パターンデータ設定登録プログラムが、カード記憶部５１に記憶されているか、外部設定機器１３に記憶されているかの違いがあるだけである。
【０１００】
また、カード１４の発行時に発行元である金融機関側でカード記憶部５１に少なくとも一つの両替パターンデータを記憶するのではなく、カード１４の発行時に金融機関側ではカード記憶部５１に一切の両替パターンデータを記憶せず、顧客側が外部設定機器１３によって初めて設定登録するようにしても良い。この場合は、上記した入力用画面表示パターン６５での入力欄の初期値がすべてゼロとされることになり、この状態から入力が行われる。
【０１０１】
また、両替機１２は、通信部４７により外部の金融機関（クレジット会社を含む）のセンタ本部の図示略のホストコンピュータとオンラインにて通信可能となっているため、両替元金および両替手数料のうちの少なくともいずれか一方を、カード１４のカード情報の金融機関コード、支店コードおよび顧客コードで特定される指定の預金口座から自動引き落とし決済可能としても良い。例えば、両替元金を指定の預金口座から自動引き落とし決済可能とした場合、両替機１２での両替処理の開始時に、操作表示部２２により、両替元金を現金にするか口座から自動引き落とし決済とするかを顧客に選択指定させる。そして、この選択指定結果により、現金が選択されれば、上記したようにバラ紙幣入出金口３３に投入された紙幣をバラ紙幣入出金ユニット４１によって入金処理して、両替払出金を出金させることになり、自動引き落とし決済が選択されれば、両替元金を口座から自動引き落とし決済して、両替払出金を出金させることになる。このように、両替機１２が、両替元金を指定の預金口座から自動引き落とし決済可能とすることで、両替時に両替元金を持ち合わせていなくても両替が可能になる。この場合、現金を両替元金とする場合のカード１４とは別に、両替元金を指定の預金口座から自動引き落とし決済するためのキャッシュカードやクレジットカード等の他のカードを用いるようにしても良い。
【０１０２】
また、両替手数料を指定の預金口座から自動引き落とし決済可能とした場合は、両替処理時には必ず両替手数料を指定の預金口座から自動引き落とし決済するように設定することで、上記した両替使用可能度数データ、およびその追加チャージ等を含めた管理が不要になり、両替機１２での両替処理がさらに容易になる。
【０１０３】
また、カード１４の発行時に顧客の申告に基づいて、両替パターンデータに、両替機１２に投入された現金である両替元金を両替する両替区分および両替元金を指定の預金口座から自動引き落とし決済する払出区分のいずれか一方の区分データを記憶させておき、両替機１２が、投入されたカード１４のカード記憶部５１に記憶された両替パターンデータの区分データに基づいて両替を行うようにしても良い。つまり、両替区分の区分データがカード記憶部５１に記憶されていた場合には、上記したようにバラ紙幣入出金口３３に投入された紙幣をバラ紙幣入出金ユニット４１によって入金処理して、両替払出金を出金させることになり、払出区分の区分データがカード記憶部５１に記憶されていた場合には、両替元金を口座から自動引き落とし決済して、両替払出金を出金させることになる。例えば、金融機関で使用する場合は、両替区分に設定することで、両替機１２を通常の両替機１２として使用でき、流通機関で使用する場合には、払出区分に設定することで、両替機１２を専用の釣銭準備金の払出装置（両替元金の現金での入金不要）として使用することができる。流通機関においては、例えば大手スーパー、百貨店等の店舗内の会計室に両替機１２を設け、この店舗内の各テナントが、各レジでの釣銭準備金をこの両替機１２から払い出して調達する運用がある。このような運用の場合には、区分データを払出区分として、両替機１２を専用の釣銭準備金の払出装置として使用すれば、各々のテナントが持ち出し所望する釣銭準備金を、各テナントに配布されたカード１４のカード記憶部５１に予め記憶された所定の両替パターンデータ（または適宜修正した両替パターンデータ）に基づいて、容易に両替機１２から払い出すことができ、釣銭準備金の調達が容易にできることになる。
【０１０４】
以上において、顧客が使用する両替機１２の現実的な使用例として、顧客は自宅または会社から最寄りの口座契約がある金融機関の店舗に設置してある特定の両替機１２を常に使用すると考えるのが常識的であるが、勿論、同じ金融機関の他の店舗に設置してある同種の両替機１２で両替を行う際にも、同じカード１４を使用できるようにするのが好ましい。さらには、同じ金融機関の他の店舗に設置してある他種の両替機１２で両替を行う際や、他の金融機関の店舗に設置してある同種あるいは他種の両替機１２で両替を行う際にも、同じカード１４を使用できるようにするのが好ましい。要は、まず両替機１２の構成として、顧客が挿入するカード１４の情報を読み取り、または読み取ったり書き込んだりするカードアクセスユニット４４が設けられており、カード１４のカード記憶部５１の情報を読み取り、または読み取ったり書き込んだりすることができるようになっていれば良い。
【０１０５】
また、両替機１２は、その年式や型式や製造メーカによる種別の相違点として、バラ紙幣入出金口３３、バラ硬貨出金口３６および包装硬貨出金口２４のそれぞれの容量が違ったり、払出可能な金種が異なったりする。このような場合にも、カード１４のカード記憶部５１に記憶される両替パターンデータ設定登録プログラムに含まれる両替限度数量データが、両替機１２の種別の違い毎に複数設けられるか、もしくは両替パターンデータ設定登録プログラムそのものが両替機１２の種別の違い毎に複数記憶されていれば、両替機１２の種別に拘わらず、共通のカード１４を使用可能となる。現実的には、金融機関で使用されるＡＴＭキャッシュカードが、金融機関に違いはあっても共通して使用可能なことと同様に、カード１４も金融機関に違いはあっても共通して使用可能に構成することができる。
【図面の簡単な説明】
【０１０６】
【図１】本発明の一実施形態の両替機システムの構成を示す図である。
【図２】本発明の一実施形態の両替機システムにおける両替機の構成を示すブロック図である。
【図３】本発明の一実施形態の両替機システムにおける入力用画面表示パターンの一例を示す図である。
【符号の説明】
【０１０７】
１１  両替機システム
１２  両替機
１３  外部設定機器
１４  カード
２２  操作表示部（選択手段，修正受付手段）
５１  カード記憶部
【図１】
0005193688.tif 000002
【図２】
0005193688.tif 000003
【図３】
0005193688.tif 000004